(57)【要約】【課題】  年齢を問うことなく使いやすいロールペーパーホルダーを提供する。【解決手段】  ロールホルダー本体１、プッシュカバー２１を有するプッシュカバー部２、リセットばねを有するペーパー繰出し駆動機構部６及びペーパー送りローラーを有するペーパー繰出し機構部７を備え、プッシュカバー２１はクランク３をリセットばねに抗して押圧可能であり、クラッチ手段４はペーパー送りローラー７１に対してクランク３からの作動力の伝達及び遮断を選択可能であり、プッシュカバー２１によりクランク３が押圧されると、クランクからの作動力をクラッチ手段４がペーパー送りローラー７１へ伝達するのを遮断し、プッシュカバーの押込みを解除してクランク３の押圧が解除されると、上記リセットばねのペーパー送出しのばね作用によりクランクを介してクラッチ手段４の作動力がペーパー送りローラー７１へ伝達されて、ペーパーの自動送出しを可能にする。【選択図】        図１
2018000878.tif 000002
【特許請求の範囲】
【請求項１】
上部が開口部となっているロールホルダー本体と、このロールホルダー本体に取付け軸に対して回転可能に取り付けてあって、上記開口部を開閉可能であるプッシュカバー部と、このプッシュカバー部内に配置してあり、作動レバー、クラッチ手段及びリセットばねを有するペーパー繰出し駆動機構部と、このペーパー繰出し駆動機構部からの作動力が伝達され、ロールペーパーのペーパーを送り出すためのペーパー送りローラー及びこのペーパー送りローラーに従動するペーパー送り補助ローラーとを有するペーパー繰出し機構部とを備えており、
上記ロールホルダー本体は内部で上記ロールペーパーを取出しかつ回転可能に保持することができるものであり、
上記プッシュカバー部はケーシングとこのケーシングを覆うプッシュカバーとから組み合わされており、その先端部側と上記ロールホルダー本体との間でペーパー繰出し口を形成しており、上記プッシュカバーが上記ペーパー繰出し口を開閉可能であって、上記プッシュカバーの先端部には刃先が上記ペーパー繰出し口に送り出される上記ペーパーに向けられているペーパー切断刃を設けてあり、
上記ペーパー繰出し駆動機構部の上記作動レバーは上記プッシュカバー部と相対的に連動可能であり、支持部に軸支されている作動軸を中心として回転可能であり、上記クラッチ手段の動作を制御可能であり、
上記クラッチ手段は、上記ペーパー送りローラーに対して上記作動レバーからの作動力の伝達及び遮断を選択可能であり、
上記リセットばねは、上記プッシュカバー、上記作動レバー及び上記クラッチ手段に対してペーパー送出しのばね作用が付与されており、
上記ペーパー繰出し機構部の上記ペーパー送りローラーと上記ペーパー送り補助ローラーとは上記ペーパー繰出し口の近傍に回転可能に設けられており、上記ロールペーパーのペーパーを挟持しかつ互いに上記ペーパー繰出し口方向に送出し可能であり、上記ペーパー送りローラーが上記プッシュカバー部側に、上記ペーパー送り補助ローラーが上記ロールホルダー本体側にそれぞれ配置されており、
上記プッシュカバーの押込みにより、待機状態にある上記作動レバーが押圧された場合、上記作動レバーからの作動力を上記クラッチ手段が上記ペーパー送りローラーへ伝達するのを遮断して、この遮断に基づいて上記ペーパー送りローラーは空転可能となり、
上記プッシュカバー部の押込みを解除して上記作動レバーの押圧が解除された場合、上記リセットばねのペーパー送出しのばね作用により上記作動レバーからの作動力を上記クラッチ手段が上記ペーパー送りローラーへ伝達し、この伝達に基づいて上記ペーパー送りローラーはペーパー繰出し方向に回転可能となり、上記作動レバーは待機状態の位置に復帰可能である
ことを特徴とするロールペーパーホルダー。
【請求項２】
ロールホルダー本体は背部側にホルダーバックフレームを設け、両側方にホルダーサイドフレームを設けており、両ホルダーサイドフレームの先端部側間にステーを配置してあり、このステー上面でペーパー送りローラーから送り出されてくるペーパーを案内することを特徴とする請求項１項記載のロールペーパーホルダー。
【請求項３】
ロールホルダー本体には、側方から内部に手を差し入れ可能である操作用差入れ孔を開けてあることを特徴とする請求項１又は請求項２記載のロールペーパーホルダー。
【請求項４】
作動レバーとクラッチ手段との間に上記作動レバーの作動力を上記クラッチ手段に伝える伝達歯車機構を設けてあることを特徴とする請求項１乃至請求項３のいずれかに記載のロールペーパーホルダー。
【請求項５】
クラッチ手段は作動レバーに連動するクラッチ歯車とこのクラッチ歯車に連動するローラー駆動歯車とを備えており、上記クラッチ歯車は上記ローラー駆動歯車と断続可能であり、このローラー駆動歯車はペーパー送りローラーに連動していることを特徴とする請求項１乃至請求項４のいずれかに記載のロールペーパーホルダー。
【請求項６】
リセットばねは、第１のリセットばねと第２のリセットばねとからなり、いずれのばねもトーションばねが用いられており、上記第１のリセットばねは作動レバーにペーパー送出しのばね作用を付与し、上記第２のリセットばねはクラッチ歯車のクラッチ回転軸に対してペーパー送出しのばね作用を付与していることを特徴とする請求項１乃至請求項５のいずれかに記載のロールペーパーホルダー。
【請求項７】
支持部はケーシングに取り付けてある軸受けを備えてあり、この軸受けは作動レバーの作動軸、クラッチ歯車のクラッチ回転軸及びローラー駆動歯車の送り回転軸をそれぞれ回転可能に軸受しており、上記クラッチ回転軸は上記軸受けに開けてある規制孔を通じて軸受されていると共に上記規制孔内を上記クラッチ歯車と上記ローラー駆動歯車との連動及びこの連動を遮断する双方向に移動可能であることを特徴とする請求項１乃至請求項６のいずれかに記載のロールペーパーホルダー。
【請求項８】
ペーパー送りローラーの送り回転軸はローラー駆動歯車と同芯であり、ローラー駆動歯車に開けてある調整孔内及び支持部に開けてある調整孔内をそれぞれ上下動可能に貫通していることを特徴とする請求項１乃至請求項７のいずれかに記載のロールペーパーホルダー。
【請求項９】
作動レバー、クラッチ手段、リセットばね及びペーパー送りローラーは、ケーシングに取付け可能である支持部と一体的に組み立てられて、ユニットを構成していることを特徴とする請求項１乃至請求項８のいずれかに記載のロールペーパーホルダー。
【請求項１０】
作動レバーの待機状態を維持するための回転規制手段を設けてあることを特徴とする請求項１乃至請求項９のいずれかに記載のロールペーパーホルダー。
【発明の詳細な説明】
【技術分野】
【０００１】
この発明は、トイレットペーパーなどのロール状に巻回したペーパーを切断した後にその先端が自動的に繰り出されるロールペーパーホルダーに関する。
【背景技術】
【０００２】
一般に知られているロールペーパーホルダーは、壁に固定する取付けフレームと、この取付けフレームの前面両側からそれぞれ突き出されている保持板と、両保持板間に渡し両端を各保持板に保持されている保持軸と、上記取付けフレーム又は両保持板に設けた支持軸を回転中心とするカバーとからなる。ロールペーパーは、その芯孔を貫通している上記保持軸によって回転可能に両保持板間に収納され支持されている。上記カバーは円弧状に成形されており、上記ロールペーパーをその上側から覆っている。使用時には、一方の手で上記カバーを押えてロールペーパーの回転を止めて、もう一方の手で上記ロールペーパーの先端部を引っ張り上げて上記カバーの先端辺を切断辺として、又は先端辺に鋸状の切刃が装着されていればカッターとして利用して、切断しているのが実情である。
上記ロールペーパーホルダーにおいて、上記ロールペーパーのペーパー端を切断した後にロールペーパーの本体側のペーパー端辺が上記カバーの下に隠れてしまったり、ロールペーパーの周面に密着したすることがあり、また、上記カバーの先端にカッターが装着されている例では、カッターに対してロールペーパーを上方に引き上げて切断するので、切断後のロールペーパーの本体側のロールペーパー端辺がカッターに付着されたままとなることがしばしばある。このため、次の使用者はロールペーパー端辺を摘まんで引き出すのが不便であり、無理に動かして余分に引き出してロールペーパーを無駄にする課題があった。
これらの課題を解決するために、特開２００４−２５５１２６号公報に記載のトイレットペーパーホルダー等の簡易カッター及び特開２０１４−１７６４０４号公報に記載のトイレットペーパーの保持器（以下、それぞれ「従来例１」及び「従来例２」という。）が提案されている。
従来例１であるトイレットペーパーホルダー等の簡易カッターは、カバー兼カッターに窓を設けて、この窓から紙を引き出し、下方に向けて引くことにより、ロールストッパーで紙ロールを押えてカットし、同時に上記窓とカッターの間の部分に次の使用者のためのつまみの紙端を残すものである。
従来例２であるトイレットペーパーの保持器は、トイレットペーパーの中心部を保持する芯部を設けている保持器本体と、上記芯部で保持されたトイレットペーパーの上面を覆う上面蓋と、この上面蓋の前方端部と隣接し、回転自在であってトイレットペーパー方向へその端面を付勢するように設けられているＬ字型紙押え板と、このＬ字型紙押え板の折り曲げ線に沿って設けた櫛型カッターとからなり、上記Ｌ字型紙押え板のトイレットペーパーと接触する端部の位置と、上記櫛型カッターの切断位置とを一定距離離間させて配置したものである。トイレットペーパーの端面は使用の際に保持器の下側に垂れ下がった部分を摘まみ引き出すことで、保持器の上部や側面に手が触れる必要がなくなる。
【先行技術文献】
【特許文献】
【０００３】
【特許文献１】特開２００４−２５５１２６号公報
【特許文献２】特開２０１４−１７６４０４号公報
【発明の概要】
【発明が解決しようとする課題】
【０００４】
従来例１によると、紙ロールのセット時に、子供や高齢者には紙端先端部側を窓に通すのが手軽にできない課題がある。また、この従来例によれば、常に、紙を下方に向けて（足元側）引く構成であるから、少しでも水平方向（使用者側）に力が加わると、紙がちぎれてしまう不都合があり、特に紙が薄い場合にはちぎれる欠点が顕著となりゆっくりと丁寧に引く必要がある。さらに、カッターの先が使用者側に向けて露出状態に突き出ているので身体に触れないようにするために紙の引き出しやカットに慎重を要し、使用上煩わしいことが推測される。
従来例２によると、上記Ｌ字型紙押え板のバネの作用でその一端がロールぺーパーを押し付けているので、ロールぺーパーの外径が大きい時は使用者の足元側の向けて下に引いてから上記櫛型カッターに向け水平方向に引いてこのカッターに達したら、今度はトイレットペーパーを持ち上げて切断しなくてはならない。つまり、上記トイレットペーパーの引き出し方向が３回も変わり、使用に手間がかかり不便である。また、ロールぺーパーの残量が少なくなるほど、上記Ｌ字型紙押え板が下向きになるため、上記トイレットペーパーをますます下に向けて引き出さなければならず、使用に手間がかかり、特に子供や高齢者には使いにくい課題がある。
この発明の目的は年齢を問うことなく使いやすいロールペーパーホルダーを提供することにある。
【課題を解決するための手段】
【０００５】
この発明に係るロールペーパーホルダーの第１の特徴は、上部が開口部となっているロールホルダー本体と、このロールホルダー本体に取付け軸に対して回転可能に取り付けてあって、上記開口部を開閉可能であるプッシュカバー部と、このプッシュカバー部内に配置し、作動レバー、クラッチ手段及びリセットばねを有するペーパー繰出し駆動機構部と、このペーパー繰出し駆動機構部からの作動力が伝達され、ロールペーパーのペーパーを送り出すためのペーパー送りローラー及びこのペーパー送りローラーに従動するペーパー送り補助ローラーとを有するペーパー繰出し機構部とを備えていることにある。上記ロールホルダー本体は内部で上記ロールペーパーを取出しかつ回転可能に保持することができ、上記プッシュカバー部はケーシングとこのケーシングを覆うプッシュカバーとから組み合わされており、その先端部側と上記ロールホルダー本体との間でペーパー繰出し口を形成しており、上記プッシュカバーが上記ペーパー繰出し口を開閉可能であって、上記プッシュカバーの先端部には刃先が上記ペーパー繰出し口に送り出される上記ペーパーに向けられているペーパー切断刃を設けてある。上記ペーパー繰出し駆動機構部の上記作動レバーは上記プッシュカバー部と相対的に連動可能であり、支持部に軸支されている作動軸を中心として回転可能であり、上記クラッチ手段の動作を制御可能である。上記クラッチ手段は、上記ペーパー送りローラーに対して上記作動レバーからの作動力の伝達及び遮断を選択可能であり、
上記リセットばねは、上記プッシュカバー、上記作動レバー及び上記クラッチ手段に対してペーパー送出しのばね作用が付与されている。上記ペーパー繰出し機構部の上記ペーパー送りローラーと上記ペーパー送り補助ローラーとは上記ペーパー繰出し口の近傍に回転可能に設けられており、上記ロールペーパーのペーパーを挟持しかつ互いに上記ペーパー繰出し口方向に送出し可能であり、上記ペーパー送りローラーが上記プッシュカバー部側に、上記ペーパー送り補助ローラーが上記ロールホルダー本体側にそれぞれ配置されている。
上記プッシュカバーの押込みにより待機状態にある上記作動レバーが押圧された場合、上記作動レバーからの作動力を上記クラッチ手段が上記ペーパー送りローラーへ伝達するのを遮断して、この遮断に基づいて上記ペーパー送りローラーは空転可能となる。上記プッシュカバー部の押込みを解除して上記作動レバーの押圧が解除された場合、上記リセットばねのペーパー送出しのばね作用により上記作動レバーからの作動力を上記クラッチ手段が上記ペーパー送りローラーへ伝達し、この伝達に基づいて上記ペーパー送りローラーはペーパー繰出し方向に回転可能となり、上記作動レバーは待機状態の位置に復帰可能である。
この発明に係るロールペーパーホルダーの第２の特徴は第１の特徴を前提として、ロールホルダー本体は背部側にホルダーバックフレームを設け、両側方にホルダーサイドフレームを設けており、両ホルダーサイドフレームの先端部側間にステーを配置してあり、このステー上面でペーパー送りローラーから送り出されてくるペーパーを案内することにある。
この発明に係るロールペーパーホルダーの第３の特徴は第２又は第３の特徴を前提とし、ロールホルダー本体には側方から内部に手を差し入れ可能である操作用差入れ孔を開けてあることにある。
この発明に係るロールペーパーホルダーの第４の特徴は第１乃至第３のいずれかの特徴を前提とし、作動レバーとクラッチ手段との間に上記作動レバーの作動力を上記クラッチ手段に伝える伝達歯車機構を設けてあることにある。
この発明に係るロールペーパーホルダーの第５の特徴は第１乃至第４のいずれかの特徴を前提とし、クラッチ手段は作動レバーに連動するクラッチ歯車とこのクラッチ歯車に連動するローラー駆動歯車とを備えており、上記クラッチ歯車は上記ローラー駆動歯車と断続可能であり、このローラー駆動歯車はペーパー送りローラーに連動していることにある。
この発明に係るロールペーパーホルダーの第６の特徴は第１乃至第５のいずれかの特徴を前提とし、リセットばねは第１のリセットばねと第２のリセットばねとからなり、いずれのばねもトーションばねが用いられており、上記第１のリセットばねは作動レバーにペーパー送出しのばね作用を付与し、上記第２のリセットばねはクラッチ歯車のクラッチ回転軸に対してペーパー送出しのばね作用を付与していることにある。
この発明に係るロールペーパーホルダーの第７の特徴は第１乃至第６のいずれかの特徴を前提とし、支持部はケーシングに取り付けてある軸受けを備えてあり、この軸受けは作動レバーの作動軸、クラッチ歯車のクラッチ回転軸及びローラー駆動歯車の送り回転軸をそれぞれ回転可能に軸受しており、上記クラッチ回転軸が上記軸受けに開けてある規制孔を通じて軸受されていると共に上記規制孔内を上記クラッチ歯車と上記ローラー駆動歯車との連動及びこの連動を遮断する双方向に移動可能であることにある。
この発明に係るロールペーパーホルダーの第８の特徴は第１乃至第７のいずれかの特徴を前提とし、ペーパー送りローラーの送り回転軸はローラー駆動歯車と同芯であり、ローラー駆動歯車に開けてある調整孔内及び支持部に開けてある調整孔内をそれぞれ上下動可能に貫通していることにある。
この発明に係るロールペーパーホルダーの第９の特徴は第１乃至第８のいずれかの特徴を前提とし、作動レバー、クラッチ手段、リセットばね及びペーパー送りローラーは、ケーシングに取付け可能である支持部と一体的に組み立てられて、ユニットを構成していることにある。
この発明に係るロールペーパーホルダーの第１０の特徴は第１乃至第９のいずれかの特徴を前提とし、作動レバーの待機状態を維持するための回転規制手段を設けてあることにある。
【発明の効果】
【０００６】
この発明によれば、ペーパーホルダー本体のペーパー繰出し口から既にペーパー端が露出しているので、その取扱いが容易となる。ペーパーの自動繰出しがモーターを使うことなく、セットばねのペーパー繰出しばね力を利用しているので、コストダウンに寄与し、省エネルギーに貢献することができる。
【図面の簡単な説明】
【０００７】
【図１】この発明に係るロールペーパーホルダーを示し、一部を断面及び切欠している正面図である。
【図２】この発明に係るロールペーパーホルダーを示し、一部を断面及び切欠している側面図である。
【図３】この発明に係るロールペーパーホルダーを示し、一部を断面及び切欠している平面図である。
【図４】この発明に係るロールペーパーホルダーの外観を示す斜視図である。
【図５】この発明に係るロールペーパーホルダーの使用状態を示し、一部を断面及び切欠している正面図であって、プッシュカバーを押し込んだ状態の図である。
【図６】この発明に係るロールペーパーホルダーにおけるプッシュカバー部を大きく開いた状態を示し、一部を断面及び切欠している正面図である。
【図７】この発明に係るロールペーパーホルダーにおけるロールホルダー本体を示す平面図である。
【図８】この発明に係るロールペーパーホルダーにおけるペーパー繰出し駆動機構部を示す一部断面拡大平面図である。
【図９】図８のＩＸ−ＩＸ線断面図であって、ペーパー送りローラーの一部を断面にして示す図である。
【図１０】図８のＸ−Ｘ線断面図であって、ペーパー送りローラーの一部を断面にして示す図である。
【図１１】この発明に係るロールペーパーホルダーにおけるローラー駆動歯車とペーパー送りローラーとの関係を示す拡大正面図である。
【図１２】この発明に係るロールペーパーホルダーにおけるクランク、クランク歯車、クラッチ歯車及びローラー駆動歯車における連断関係を示す拡大正面図であって、（ｉ）は相互に連動状態にある図、（ｉｉ）はクランク、クランク歯車及びクラッチ歯車とローラー駆動歯車との連動関係が断たれた状態の図、（ｉｉｉ）はクランク、クランク歯車及びクラッチ歯車がローラー駆動歯車を離れて連結の解消が完結した状態の図である。
【図１３】この発明に係るロールペーパーホルダーにおけるペーパー繰出し過程を略線で示す拡大正面図であって、（ｉ）はペーパーの切断時からプッシュカバーの加圧の解除をした場合のプッシュカバー、クランク、クランク歯車、クラッチ歯車及びローラー駆動歯車の動きの方向を示す図、（ｉｉ）はペーパーが自動的に繰り出された後のプッシュカバー、クランク、クランク歯車、クラッチ歯車及びローラー駆動歯車の連結状態を示す図である。
【発明を実施するための形態】
【０００８】
以下、この発明の実施形態について図面に基づいて説明する。
図１〜図６において、この発明に係るロールペーパーホルダーは、上部の開口部１ａから入れたロールペーパーＲを内部で収納保持するロールホルダー本体１と、このロールホルダー本体に取付け軸２３に対して回転可能に取り付けてあって上記開口部を開閉可能であるプッシュカバー部２と、このプッシュカバー部内に配置してあり、作動レバー３、クラッチ手段４及びリセットばね５を有するペーパー繰出し駆動機構部６と、このペーパー繰出し駆動機構部からの作動力が伝達され、ロールペーパーＲのペーパーＲ１を送り出すためのペーパー送りローラー７１及びこのペーパー送りローラーに従動するペーパー送り補助ローラー７２を有するペーパー繰出し機構部７とを備えている。
【０００９】
図１〜図７において、ロールホルダー本体１は背部側（図１右側）にホルダーバックフレーム１１を設け、両側方にホルダーサイドフレーム１２を設けている。両ホルダーサイドフレーム１２は、ホルダーサイドフレーム間に配置されるロールペーパーＲをサポートであるロール保持軸１３を介して回転可能に保持する。
ホルダーバックフレーム１１は壁や柱などに装着可能である。また、ホルダーサイドフレーム１２は開口部１ａから溝形に切り込んで形成した操作用差入れ孔１２ａを設けてある。ホルダーサイドフレーム１２の側方から操作用差入れ孔１２ａを通じて、ロールホルダー本体１内に手又は指を差し入れ可能である。そして、操作用差入れ孔１２ａの底部には保持溝１２ｂを設けてある。両ホルダーサイドフレーム１２間にはロール保持軸１３を渡してあり、このロール保持軸の両端が保持溝１２ｂに回転かつ取外し可能に軸受けされている。
さらに、両ホルダーサイドフレーム１２の先端部間にステー１４が配置され、このステーの両端が止めねじ１６により止められている。ステー１４は、その上面でペーパー送りローラー７１から送り出されてくるペーパーＲ１を案内する役割を果たしている。ステー１４には、後述するペーパー切断刃２４に対向して切断刃受け１５を設けている。切断刃受け１５は、ペーパー切断刃２４の幅に相当する長さのスリット内にスポンジなどの弾性材１５ａ（図５）を充填して形成されている。弾性材１５ａは、切断刃受け１５上でペーパー切断刃２４がペーパー端Ｒ２を切断する時、歯先が切断刃受け内に食い込むことを緩和するために役立てられる。
【００１０】
図１及び図２に示すように、プッシュカバー部２はその先端部とロールホルダー本体１との間でペーパー繰出し口２５を形成している。
図１〜図６において、プッシュカバー部２は、プッシュカバー２１とケーシング２２とにより薄形のケースに組み立てられている。プッシュカバー２１とケーシング２２とは、プッシュカバーの背部側（後端部側）の両端部がケーシングの両端部を挟みつつ重ねた状態で、取付け軸２３で結合されている（図３）。プッシュカバー２１はケーシング２２を覆う状態で組み合わされている。プッシュカバー２１とケーシング２２とは、取付け軸２３を中心とする操作によってそれぞれ単独で起伏可能（回転可能）である。双方２１，２２が一体となってロールホルダー本体１の開口部１ａを開いた状態又は閉じた状態にすることができる。プッシュカバー２１はペーパー繰出し口２５を開閉することができる。図１に示すように、ケーシング２２の両側板に規制孔２２ａが開けられている。各規制孔２２ａ内にはプッシュカバー２１から突出しているピン２６が挿入されている。各ピン２６は規制孔２２ａ内を移動可能であり、プッシュカバー２１が必要以上に開閉しないように規制するストッパ孔である。
また、ペーパーＲ１の送出し側（図１左側）であるプッシュカバー２１の先端部側には鋸状のペーパー切断刃２４が設けられている。ペーパー切断刃２４の刃先は、ロールペーパーＲから引き出されたステー１４上のペーパーＲ１に向けてられている。
【００１１】
図１〜図３及び図８〜図１０において、ペーパー繰出し駆動機構部６における作動レバーであるクランク３は、プッシュカバー部２と相対的に連動可能である。クランク３は支持部８に支持されている。支持部８は対の軸受け８１と台８２とを備えている。対の軸受け８１は間隔を置いて台８２上に起立されており、先端部側は連結されて平面「こ」の字形に成形されている（図８）。台８２は、ケーシング２２の内底部上に止めねじ８３（図３）で着脱可能に固定されている。
クランク３は軸受け８１の側方（図８上方）に配置されており、軸受けに回転可能に軸受されている作動軸であるクランク軸３１と結合されている。クランク３はクランク軸３１を回転中心としている。クランク３は、図１及び図９に示すように上端部が中央部のクランク軸３１を支点として幾分前方に折り曲げられ、全体として前方にやや傾斜した起立状態すなわち待機状態でクランク軸３１に取り付けられている。クランク３の上端部（先端部）にクランクローラー軸３２を回転中心とするクランクローラー３３が取り付けられている。クランクローラー３３はプッシュカバー２１の下面に当接可能である。クランク３の下端部（後端部）３ａは軸受け８１の台８２上面に当接可能であり、この当接によりクランクの図１時計方向の回転を規制して、上記待機状態が維持されている。
また、クランク３の他側方（図８下方）には作動力伝達歯車であるクランク歯車３４が配置されている。図１に示すように、クランク歯車３４は扇形に形成されており、クランク軸３１に取り付けられている。クランク歯車３４はクランク３と共にクランク軸３１を中心として回転可能である。
クランク歯車３４には後述するクラッチ手段４のクラッチ歯車４１の回転を補助をする従動伝達歯車４１Ａが常時歯合されており、この従動伝達歯車がクラッチ回転軸４３に取り付けられている。従動伝達歯車４１Ａは、クランク歯車３４からの作動力である回転力をクラッチ歯車４１に伝達している（図１）。
【００１２】
図１〜図３、図５、図８〜図１０において、クラッチ手段４はクランク３からの作動力を受けて、ペーパー送りローラー７１に対して上記作動力の伝達及び遮断を選択可能であり、換言すれば伝達及び遮断という各機能を制御可能である。  クラッチ手段４はクラッチ歯車４１及びローラー駆動歯車４２を備えている。クラッチ歯車４１はこれより小径の上記従動伝達歯車４１Ａと一体的に結合され、クラッチ歯車と従動伝達歯車とは同芯であって、いずれもクラッチ回転軸４３に固定的に取り付けられている。クラッチ回転軸４３は軸受け８１に回転可能に軸受けされている。クラッチ回転軸４３の両端部は、軸受け８１に開けられた規制孔８１ａに挿入されている。両規制孔８１ａは円弧状の長孔となっており、上記クランク歯車３４の外周に沿って形成されている。クラッチ回転軸４３の両端部は規制孔８１ａ内を移動可能である。クラッチ回転軸４３は規制孔８１ａの端部内周面に当接可能であって、当接により移動が阻止される。
規制孔８１ａは、クラッチ回転軸４３を通じてこのクラッチ回転軸に固定されているクラッチ歯車４１及び従動伝達歯車４１Ａの移動の案内とストッパー孔の役割を行っている。
ローラー駆動歯車４２は芯部に上下に長い調整孔４２ａを開けてある。ローラー駆動歯車４２は、調整孔４２ａを貫通しているペーパー送りローラー軸７３に支持されている。ローラー駆動歯車４２は、ペーパー送りローラー軸７３を回転中心としている。
ローラー駆動歯車４２はクラッチ歯車４１に歯合可能及び歯合解消可能である。すなわち、クラッチ歯車４１はその動作に応じて、ローラー駆動歯車４２との歯合によりクラッチ歯車の回転力をローラー駆動歯車に伝達し、反対に、ローラー駆動歯車４２から離れて歯合を解消してローラー駆動歯車への伝達を遮断することができる。つまり、クラッチ歯車４１は、ローラー駆動歯車４２に対して歯合連結と歯合連結の解消とのいずれかを選択可能である。
【００１３】
図２、図３及び図８に示すリセットばね５は図９及び図１０に示す例によれば、第１及び第２の各リセットばね５１，５２からなり、トーションばねが用いられている。第１及び第２の各リセットばね５１，５２はクランク軸３１に巻回されている。第１及び第２の各リセットばね５１，５２がクランク３やクラッチ回転軸４３などに対してペーパー送出しのばね作用を及ぼしているので、これらのリセットばねについて説明する。
第１のリセットばね５１は、図８上側の軸受け８１とクランク３の後端部側との間を跨いでいるクランク軸３１の一側部分に巻かれている。第１のリセットばね５１はＶ形に広がっている一端部がクランク軸３１に掛け止められ、他端部が軸受け８１のばね受け８４に係止されている。第１のリセットばね５１はクランク軸３１を介してクランク３に対して図１時計方向にばね力を付勢している。第１のリセットばね５１は、クランク３が常に図１に示す待機状態を維持可能とするために、クランクの回転規制手段として、図示する例によれば上述したようにクランクの後端部３ａを軸受け８１の台８２に当接させている。
クランクローラー３３は、第１のリセットばね５１のばね作用によりプッシュカバー２１に対して図１下側から弾性的に当接可能である。
プッシュカバー２１はクランクローラー３３を通じて待機状態にあるクランク３を押圧可能である。押圧力を受けたクランク３は、第１のリセットばね５１のばね力に抗してクランク軸３１を回転中心として図１反時計方向に回転可能となる。クランク３は上記押圧力から解放されれば、第１のリセットばね５１の戻しのばね作用により、元の位置の待機状態の復帰が可能となる。
また、第２のリセットばね５２は図８下側の軸受け８１の側面から露出しているクランク軸３１の他側の軸端部に巻かれている。図１０に示すように第２のリセットばね５２はＶ形に広がって、一端部が軸受け８１のばね受け８５に係止され、他端部はクラッチ回転軸４３に外周面に当接するように掛け止められている。第２のリセットばね５２の他端部は、クラッチ回転軸４３に対してこの軸を押し上げる方向（図１０上方）にばね力を付勢している。
【００１４】
ペーパー繰出し機構部７について図１〜図３、図５及び図１１を参照して説明する。
ペーパー繰出し機構部７は、ペーパー送りローラー７１とペーパー送り補助ローラー７２とを備えている。ペーパー送りローラー７１が上記プッシュカバー部２側（図１上側）に、ペーパー送り補助ローラー７２は上記ロールホルダー本体１側（同図下側）にそれぞれ配置されている。ペーパー送りローラー７１及びペーパー送り補助ローラー７２は、これらに当接可能であるロールペーパーＲのペーパーＲ１を挟持しながら繰出し方向に送出し可能である。そして、ペーパー送りローラー７１及びペーパー送り補助ローラー７２の軸方向の長さはペーパーＲ１を円滑に送り出すために、それらの幅がペーパーのそれに対応している。
ペーパー送りローラー７１はペーパー送りローラー軸７３にこのローラー軸を回転中心として固定的に軸支されている。ペーパー送りローラー軸７３は、軸受け８１に開けられている調整孔８１ｂ（図１０）及びローラー駆動歯車４２の調整孔４２ａをそれぞれ貫通して、両軸端部がケーシング２２の両側板の規制孔２２ｂ（図４）に回転可能に軸受されている。調整孔４２ａ、調整孔８１ｂ及び規制孔２２ｂは、図１、図４及び図１０の上下方向に細長く形成されている長孔である。両調整孔４２ａ，８１ｂ及び規制孔２２ｂを挿通するペーパー送りローラー軸７３が上下動可能である。ペーパー送りローラー軸７３は調整孔４２ａによっても上下動が妨げられない。ペーパー送りローラー７１も上下動可能となり（図１１）、当接可能であるペーパーＲ１の上面との隙間の幅を調整することができる。したがって、ペーパー送りローラー７１は、これに接するロールペーパーＲのペーパーＲ１の表面の凹凸や厚みに対応してこの表面に密着可能となる。この結果、ペーパー送りローラー７１はペーパーＲ１の表面の状態に対応することができるからペーパーを確実に送り出すことが可能となる。
ペーパー送り補助ローラー７２は、上記ロールホルダー本体１の両ホルダーサイドフレーム１２の先端部（図１左端部）間に配置され、止めねじ１６（図７）で固定されているステー１４に取り付けてある。ペーパー送り補助ローラー７２はペーパー送りローラー軸７４に取り付けられている。ペーパー送りローラー軸７４はステー１４の軸孔１４ａに軸受されている。軸孔１４ａはＵ字形に形成されており、ペーパー送りローラー軸７４は軸孔１４ａ内を上下動可能である。ペーパー送り補助ローラー７２は、これに当接可能であるペーパー送りローラー７１の自重を受けており、ペーパー送りローラー７１と協働して挟むロールペーパーＲのペーパーＲ１を所定圧で挟むことができる。
【００１５】
プッシュカバー部２、ペーパー繰出し駆動機構部６及びペーパー繰出し機構部７の連動関係について図１及び図５並びに図１２及び図１３を参照して説明する。
図１及び図１２（ｉ）に示す矢印方向からプッシュカバー２１に対して押圧力をかけると、プッシュカバーが取付け軸２３を中心として図１反時計方向に回転し、この回転に伴ってプッシュカバーの下面が第１のリセットばね５１のペーパー送出しのばね力に抗してクランク３のクランクローラー３３を押圧する。この押圧力により、クランク３はクランク軸３１を中心として図１及び図１２（ｉ）の反時計方向に回転し、クランクローラー３３を伏せるように旋回させる。クランク歯車３４は、クランク３に連動してクランク軸３１を中心としてクランクの回転方向と同一方向に回転する。クランク歯車３４に歯合している従動伝達歯車４１Ａは、連動して反対向方向（図１時計方向）に回転し、同時に同軸のクラッチ歯車４１も同一方向に回転する。
クランク３に対するプッシュカバー２１による押込みで、クランクの押圧力はクランク軸３１を通じてクランク歯車３４に、クランク歯車はクランク軸を中心として図１及び図１２（ｉ）反時計方向に揺動するから、常に歯合している従動伝達歯車４１Ａを図１２（ｉｉ）矢印α１方向に押す。この押す負荷は従動伝達歯車４１Ａを通じてクラッチ回転軸４３に及ぶために、図１２（ｉｉ）に示すようにクラッチ回転軸は規制孔８１ａ内を矢印α１方向、換言すれば図１右斜め下方に徐々に移動する。クラッチ回転軸４３が規制孔８１ａの一端から他端に向けて移動して行く過程では、次第にクラッチ歯車４１はローラー駆動歯車４２との歯合が解かれて行き、図５及び図１２（ｉｉｉ）に示すようにクラッチ回転軸が規制孔８１ａの他端の内周面に当接すると、ローラー駆動歯車から完全に離れ、相互の歯合の解消が完結される。この結果、ローラー駆動歯車４２と同芯のペーパー送りローラー７１が空転可能となる。
プッシュカバー２１の押下により、プッシュカバーのペーパー切断刃２４がペーパーＲ１を刺して、ペーパー端Ｒ２のカットが可能となる（図５）。
このように、ローラー駆動歯車４２に対するクランク３の作動力の伝達はプッシュカバー２１の押込みに伴って遮断され、プッシュカバーとペーパー繰出し駆動機構部６におけるローラー駆動歯車４２との連動関係が断たれる。
図１３（ｉ）に示すように、プッシュカバー２１のペーパー切断刃２４を介してペーパーＲ１をカットした後、プッシュカバーの押込みを開放することにより、クランク３にかかっていたプッシュカバーの押圧力が解除されるから、第１のリセットばね５１のペーパー送り出しのばね力（復帰ばね力）によってクランク３はクランク軸３１を中心として図１３（ｉ）の矢印方向（時計方向）に反転し、クランクローラー３３がプッシュカバー２１の下面を押しながら時計方向に旋回する。クランク歯車３４は、クランク３に連動してクランク軸３１を中心としてクランクの回転方向と同一方向に回転する。クランク歯車３４に歯合している従動伝達歯車４１Ａは、図１３（ｉ）反時計方向に回転し、同時に同軸のクラッチ歯車４１も同一方向（矢印方向）に回転する。
クランク３に対するプッシュカバー２１による押込みの解除で、第１のリセットばね５１のペーパー送り出しのばね力（復帰ばね力）はクランク及びクランク軸３１を通じてクランク歯車３４に及ぶから、クランク歯車はクランク軸を中心として図１３（ｉ）時計方向に揺動し、常に歯合している従動伝達歯車４１Ａを矢印α２方向に押す。この押す負荷は従動伝達歯車４１Ａを通じてクラッチ回転軸４３に及ぶために、クラッチ回転軸は規制孔８１ａ内を図１３（ｉ）
に示す矢印α１方向、換言すれば左斜め上方に徐々に移動する。クラッチ回転軸４３が規制孔８１ａの一端から他端に向けて移動して行く過程では、次第にクラッチ歯車４１はローラー駆動歯車４２と歯合して行き、クラッチ回転軸が規制孔８１ａの他端の内周面に当接すると、ローラー駆動歯車との相互の歯合が完結される。クランク歯車３４がローラー駆動歯車４２と歯合して、時計方向に回転するローラー駆動歯車及びクラッチ回転軸４３を通じてペーパー送りローラー７１は図１３（ｉｉ）時計方向に回転する。この結果、ペーパー送りローラー７１及びペーパー送り補助ローラー７２は互いに反対向方向に回転するから、図１３（ｉｉ）に示すようにペーパーＲ１は同図左側に送り出されてペーパー端Ｒ２が適度の長さに露出される。
ローラー駆動歯車４２に対するクランク３の作動力の伝達はプッシュカバー２１の押込みの解放に伴って達成され、プッシュカバー２１とペーパー繰出し駆動機構部６におけるローラー駆動歯車４２との連動関係が成立する。
【００１６】
次に、この発明に係るロールペーパーホルダーの使用方法について説明する。
＜ペーパーの引出し・プッシュカバーの押下げ・ペーパーの切断＞
まず、使用者はロールペーパーＲのペーパーＲ１が図１に示す状態からペーパー端Ｒ２を持って同図左側に引き出しながら、プッシュカバー２１を下方に押し込むと、先端部のペーパー切断刃２４が切断刃受け１５に達し、刃先がペーパーＲ１を刺しながら切断刃受け内の弾性材１５ａに差し込まれる（図５）。そのまま、プッシュカバー２１の上面を手で押えつつ引き出したペーパーＲ１を上側に折り曲げるか又はペーパー切断刃２４に沿って引っ張ってカットする。
ところで、プッシュカバー２１を図１に示す矢印方向に押し下げ、待機状態にあるクランク３が押圧されると、このクランクと同軸のクランク歯車３４が反時計方向に回転し、従動伝達歯車４１Ａと同軸のクラッチ歯車４１は、このクランク歯車とは反対方向に回転しながらクラッチ回転軸４３と共に規制孔８１ａに沿って下動する。クラッチ歯車４１は、待機状態では噛み合っていたローラー駆動歯車４２から離反して、ローラー駆動歯車へのクランク３からの作動力の伝達を遮断する。この結果、ローラー駆動歯車４２と同軸のペーパー送りローラー７１は空転可能な状態になる。
＜プッシュカバーの手放し・ペーパーの自動繰出し＞
使用者はペーパー端Ｒ２をペーパーＲ１から切り離した後、プッシュカバー２１の上面から手を離すと、プッシュカバーの押圧力が解除されるから第１のリセットばね５１のペーパー送り出しばね力（戻りばね作用）によりばね力が駆動力となってクランク３はクランク軸３１を中心として反転して待機位置に至る。クランク３の反転はその後端部３ａが台８２上に接して反転が阻止されるから、クランクの待機位置における停止が確実となる。
クランク３が元位置に戻る過程において、クランクローラー３３がプッシュカバー２１の下面を押し上げるために、プッシュカバーは反転しながら元の待機位置に戻る。そして、クランク３と一体的に結合しているクランク歯車３４もクランク軸３１を中心として反転して元の位置に戻る。クランク歯車３４と歯合している従動伝達歯車４１Ａは、クランク歯車の回転方向と逆方向に回転しながら第２のリセットばね５２の戻りばね作用によりクラッチ回転軸４３を通じて規制孔８１ａ内を規制孔に沿って上動し、同軸のクラッチ歯車４１も規制孔内に沿って上動する。クラッチ歯車４１はその上動に伴ってローラー駆動歯車４２と再び噛み合うため、ローラー駆動歯車へのクランク３からの反転する作動力が伝達される。伝達により、ローラー駆動歯車４２と同軸のペーパー送りローラー７１がペーパー送り出し方向に回転する。この結果、ペーパー送りローラー７１及びペーパー送り補助ローラー７２の回転量に相当する長さのペーパー端Ｒ２を自動的にロールホルダー本体１のペーパー繰出し口２５の外側に送り出し、プッシュカバー２１が閉じて待機位置に至った段階で、ペーパー送りローラーの回転が停止して、ペーパー端Ｒ２の自動繰出しが停止される。この結果、図１及び図４に示すように、所定長のペーパー端Ｒ２がペーパー繰出し口２５より露出される。
次の使用者は、他人の手により汚れていないペーパー繰出し口２５から露出されているペーパー端Ｒ２を摘まんで、プッシュカバー２１の上面を手で押えつつペーパー端を引き出して、カットし、その後は、押えている手を放せば良い。
このように、次の使用者のために、自動的にペーパー繰出し口２５からペーパー端Ｒ２が所定長繰り出される。
ロールペーパーＲをロールホルダー本体１内に収納するには、図６に示すように両側からホルダーサイドフレーム１２の操作用差入れ孔１２ａから指を差し入れて、プッシュカバー部２を持ってプッシュカバー部を取付け軸２３を中心として時計方向に回転させて大きく開き、ロールホルダー本体１の開口部１ａを全開にする。ロールペーパーＲを開口部１ａからロールホルダー本体内に入れて芯孔に挿入してあるロール保持軸１３の両端部をホルダーサイドフレーム１２に掛け止めてから、プッシュカバー部２を反時計方向に倒して開口部１ａを閉じて、図１に示す待機状態にしておく。
【００１７】
この発明によれば、プッシュカバー２１を手で押し込むだけで、ペーパー繰出し駆動機構部６とペーパー繰出し機構部７との連動が解かれると共にリセットばね５に対してはペーパーＲ１を繰り出すためのペーパー送出しばね力が蓄えられ、既に繰り出されているペーパー端Ｒ２をカットした後に、プッシュカバーから手を離せば、上記ペーパー送出しばね力の作用により、ペーパー繰出し駆動機構部とペーパー繰出し機構部とが連動すると共にペーパー繰出し機構部がペーパー繰出し駆動機構部からの作動力を受けてペーパー端Ｒ２をペーパー繰出し口２５から所定の長さ次の使用者のために繰り出す。したがって、次の使用者は、露出しているペーパー端Ｒ２が摘み代となるから扱いし易く、前の使用者の手が触れていないので衛生的であり、電気モーターを使用することなく繰出すことができるから、費用を安価に抑えることができ、省エネルギーに貢献することができる。
ホルダーサイドフレーム１２間にステー１４を必ずしも設けなくても良いが、このステーがロールホルダー本体１の補強に有効であると共に円滑なペーパーＲ１の送りに役立つ。そして、操作用差入れ孔１２ａを設ければ、プッシュカバー部２の開閉操作がし易くなる。また、プッシュカバー２１の起伏（回転）に関して回転中心を取付け軸２３としてプッシュカバー部２の回転中心と兼用させているが、例えばプッシュカバーを前後に分割して分割線の位置に回転軸を配置してこの軸を起点として起伏可能としても良い。
クランク３の作動力をクラッチ手段４に伝える伝達歯車機構として、クランク歯車３４を設けているが、独立した歯車に代えてクランクの一部に部分歯車を形成しても良い。上記伝達歯車機構となるクランク歯車３４及び従動伝達歯車４１Ａを設けておけば、伝達がスムーズとなる。
クラッチ手段４として、クラッチ歯車４１とこのクラッチ歯車に連断するローラー駆動歯車４２とを設けることにより、上記クラッチ歯車は上記ローラー駆動歯車を介して簡単にペーパー送りローラー７１の空転及び回転を制御することができる。
支持部８の軸受け８１にペーパー繰出し駆動機構部６を一体的に組み込めば、ユニット化が可能となり、組み立てが容易になる。
リセットばね５はペーパー送出しのばね作用が得られるかぎり、他の種類のばね性部材でも良く、トーションばねに限られない。リセットばね５としてトーションばねを用いれば、構成が簡単になる他に、クラッチ歯車４１に対して高いペーパー送出しのばね作用を駆動源として付与することができる。リセットばね５は第１のリセットばね５１と第２のリセットばね５２とに区別することを要せず、１つのばねで兼用しても良い。リセットばね５を、第１のリセットばね５１と第２のリセットばね５２とに分けることによりプッシュカバー２１及び作動レバー３の動作やクラッチ歯車４１の動作が確実になる。
クランク３とリセットばね５との関係において、クランクの待機状態（図１に示す状態）の維持ができるように、リセットばねのばね力を設定することができれば、クランクの回転規制手段は必ずしも必要ではないが、上記回転規制手段があれば待機状態の維持が確実となる。この場合、回転規制手段として、クランク３の後端部３ａと台８２とを当接する手段に代えて、ストッパを設けてクランクの回転を積極的に阻止するようにしても良い。
ペーパー送りローラー軸７３をローラ駆動歯車４２の調整孔４２ａ内を上下動可能にすれば、ペーパー送りローラー７１は、送るべきペーパーＲの質に伴う凹凸の変化や厚みなどに対応することができる。
【００１８】
ロールペーパーＲにおけるペーパーＲ１はトイレットペーパー、ティッシュペーパー及びキッチンペーパーなどの紙類の他に、プラスチック製のシート又はフィルム、アルミシートなどが含まれ、目的は衛生用に限られず、そして材質も紙に限定されるものではい。
ペーパーＲ１がティッシュペーパーの場合、ロールホルダー本体１をボックス状に形成し、テーブルなどの上に置いて使用しても良く、ペーパーの種類に応じてロールホルダー本体の配置場所を選択する。
ペーパーの種類によっては、ロールホルダー本体１のペーパー繰出し口２５から露出しているペーパー端Ｒ２の長さで十分使用可能な場合は、ロールホルダー本体からペーパーを引き出すことなく、上記ペーパー端をカットすれば良い。
【符号の説明】
【００１９】
Ｒ                      ロールペーパー
Ｒ１                    ペーパー
Ｒ２                    ペーパー端
１                      ロールホルダー本体
１ａ                    開口部
１１                    ホルダーバックフレーム
１２                    ホルダーサイドフレーム
１２ａ                  操作用差入れ孔
１４                    ステー
２                      プッシュカバー部
２１                    プッシュカバー
２２                    ケーシング
２２ｂ                  規制孔
２３                    取付け軸
２４                    ペーパー切断刃
２５                    ペーパー繰出し口
３                      クランク（作動レバー）
３ａ                    クランクの後端部
３１                    クランク軸（作動軸）
３３                    クランクローラー
３４                    クランク歯車（伝達歯車機構）
４                      クラッチ手段
４１                    クラッチ歯車
４１Ａ                  従動伝達歯車（伝達歯車機構）
４２                    ローラー駆動歯車
４２ａ                  調整孔
４３                    クラッチ回転軸
５                      リセットばね
５１                    第１のリセットばね
５２                    第２のリセットばね
６                      ペーパー繰出し駆動機構部
７                      ペーパー繰出し機構部
７１                    ペーパー送りローラー
７２                    ペーパー送り補助ローラー
７３，７４              ペーパー送りローラー軸（送り回転軸）
８                      支持部
８１                    軸受け
８１ａ                  規制孔
８１ｂ                  調整孔
８２                    台
【図１】
2018000878.tif 000003
【図２】
2018000878.tif 000004
【図３】
2018000878.tif 000005
【図４】
2018000878.tif 000006
【図５】
2018000878.tif 000007
【図６】
2018000878.tif 000008
【図７】
2018000878.tif 000009
【図８】
2018000878.tif 000010
【図９】
2018000878.tif 000011
【図１０】
2018000878.tif 000012
【図１１】
2018000878.tif 000013
【図１２】
2018000878.tif 000014
【図１３】
2018000878.tif 000015